(57)【特許請求の範囲】
【請求項１】
自動二輪車用シートばね構造であって、
運転手が座ることのできるシートを少なくとも一つのヒンジ軸により車体に対して開放可能に保持するシートヒンジ構造と、
前記シートヒンジ構造内に備えたシート開放状態保持構造であって、前記シートを開状態でシート開位置に保持可能であって、カム構造とカムとに付勢力を加えるシート開放ばねを備えるシート開放状態保持構造と、
前記シートヒンジ構造内に備えられ、シートの開方向に付勢力を加えるシート閉鎖時ダンパーばねと、を備え、
前記シート開放状態保持構造は、前記ヒンジ軸の軸方向において一方に設けられ、前記シート閉鎖時ダンパーばねは、前記ヒンジ軸とは別に、前記ヒンジ軸の軸方向の他方に設けられ、前記シートヒンジ構造に取り付け及び取り外し可能なばね支柱に嵌められる、自動二輪車用シートばね構造。
【請求項２】
前記シートヒンジ構造が、車体側ヒンジとシート側ヒンジとを備え、前記ばね支柱が、前記シート閉鎖時ダンパーばねを保持するパイプフレーム部と、前記車体側ヒンジ内に形成した切り込みに当接可能なストッパカム部とを備え、前記ストッパカム部は、前記ストッパカム部を前記切り込みに当接させて位置決めした状態でボルト締めされ、前記シート閉鎖時ダンパーばねの一端は、前記シート側ヒンジに設けたピンに引っ掛け、前記シート閉鎖時ダンパーばねの他端は、前記車体側ヒンジに引っ掛ける、請求項１に記載の自動二輪車用シートばね構造。
【請求項３】
前記シートヒンジ構造は、前記シートを側部に向かって開放可能に保持し、前記シートの下に設けた一つのシートフレーム部の外側に前記シートヒンジ構造を取り付け、前記シートフレーム部の内側には電気部品を取り付け、前記シート閉鎖時ダンパーばねと前記電気部品とを共通のカバーで覆う、請求項１に記載の自動二輪車用シートばね構造。
【請求項４】
前記シートヒンジ構造は、前記シートを側部に向かって開放可能に保持するための前記シート側ヒンジと前記車体側ヒンジとを備え、前記シート側ヒンジは前記車体の前後方向に２つのアームを備え、前記車体側ヒンジは前記ヒンジ軸により前方壁部及び後方壁部上で前記２つのアームを支持するＵ字型支柱を備え、前記シート開放ばねは前記前方のアームの近くに配置され、前記シート閉鎖時ダンパーばねは前記後方のアームの近くに配置され、前記ばね支柱用の取り付けボルトによってＵ字型支柱の略中央部にて前記車体側ヒンジに前記ばね支柱を取り付ける、請求項２に記載の自動二輪車用シートばね構造。
【請求項５】
前記シート側ヒンジの前記２つのアームはそれぞれ突起を有し、前記車体側ヒンジはピン部材を備え、前記ピン部材と前記各突起とは前記シートを所定の角度まで開放した際に接し、前記シート閉鎖時ダンパーばねの前記他端を前記ピン部材に引っ掛ける、請求項４に記載の自動二輪車用シートばね構造。
【請求項６】
前記パイプフレーム部は、前記シート用の前記ヒンジ軸に同軸に設け、前記車体の前側で片持ち梁のように前記シート閉鎖時ダンパーばねを支持する、請求項２に記載の自動二輪車用シートばね構造。
【請求項７】
前記シートは前記シートを保持するシート支持フレームを備え、前記シート支持フレームは、前記シートヒンジ構造と連結し、前記シート支持フレームの一部は外部に露出し、前記シートばね構造は、前記シートの下に開放する側部を備えたシート下の空間を有する、請求項１に記載の自動二輪車用シートばね構造。
【発明の詳細な説明】
【技術分野】
【０００１】
本発明は、運転手が座ることができるシートをヒンジ軸により自由に開放可能であるような、自動二輪車用のシートばね構造に関する。
【背景技術】
【０００２】
シートの側部に設けたシートヒンジによりシートが開放可能であるような従来の自動二輪車の例として、例えば特許文献１で開示されるように、車体上に取り付けた車体側ヒンジ（７６）とこの車体側ヒンジ（７６）に揺動可能に取り付けたシート側ヒンジ（５１）とを備えるシートばね構造を備えた構造が開発されている。この従来のシートばね構造におけるシート側ヒンジ（５１）は、開位置にシートを保持するストッパー構造（８５、８６、８７）と、シートが開放したときにストッパーに付勢力を加えるコイルばね（１０７）と、シートを開放するときに開方向に付勢力を加えるらせんばね（１１１）とを備える。らせんばね（１１１）は、シートに開方向の付勢力を加えるものであって、シートを閉じる際の閉方向のダンパー（ｄａｍｐｅｒ）としての機能を有し、これによってシートが急に閉じてしまうことを防ぐ。
【先行技術文献】
【特許文献】
【０００３】
【特許文献１】日本特許第４６５９０１１号
【発明の概要】
【発明が解決しようとする課題】
【０００４】
しかしながら、従来の自動二輪車のシートばね構造には以下のような問題があった。シートばね構造において、らせんばね（１１１）はヒンジ軸（７７）と同軸に取り付けるので、シートヒンジを挿入したシートを取り付ける過程で同時にらせんばね（１１１）を配置する必要があり、組み立て作業性が損なわれる。更に、らせんばね（１１１）を交換する場合には、シートを取り外す必要がある。また、コイルばね（１０７）をヒンジ軸の中心に配置する必要があるので、らせんばねを半分に分割する必要があり、結果として空間的な制限となる。
【０００５】
上述の問題に鑑み、本発明の目的は、自動二輪車のシートばね構造であって、シート開放状態保持ばねとシート閉鎖時ダンパーばねとの両方を備えるシートばね構造を提供することである。この構造は組み立て及び分解が簡単で空間的な制限がほとんどない。
【課題を解決するための手段】
【０００６】
請求項１に記載の発明は、自動二輪車用シートばね構造であって、運転手が座ることのできるシートを少なくとも一つのヒンジ軸により車体に対して開放可能に保持するシートヒンジ構造と、前記シートヒンジ構造内に備えたシート開放状態保持構造であって、前記シートを開状態でシート開位置に保持可能であって、カム構造とカムとに付勢力を加えるシート開放ばねを備えるシート開放状態保持構造と、前記シートヒンジ構造内に備えられ、シートの開方向に付勢力を加えるシート閉鎖時ダンパーばねと、を備える。前記シート開放状態保持構造は、前記ヒンジ軸の軸方向において一方に設けられる。前記シート閉鎖時ダンパーばねは、前記ヒンジ軸とは別に、前記ヒンジ軸の軸方向の他方に設けられ、前記シートヒンジ構造に取り付け及び取り外し可能なばね支柱に嵌められる。
【０００７】
請求項２に記載の発明は、請求項１に記載の自動二輪車用シートばね構造であって、前記シートヒンジ構造が、車体側ヒンジとシート側ヒンジとを備える。前記ばね支柱が、前記シート閉鎖時ダンパーばねを保持するパイプフレーム部と、前記車体側ヒンジ内に形成した切り込みに当接可能なストッパカム部とを備え、前記ストッパカム部は、前記ストッパカム部を前記切り込みに当接させて位置決めした状態でボルト締めされる。前記シート閉鎖時ダンパーばねの一端は、前記シート側ヒンジに設けたピンに引っ掛け、前記シート閉鎖時ダンパーばねの他端は、前記車体側ヒンジに引っ掛ける
【０００８】
請求項３に記載の発明は、請求項１に記載の自動二輪車用シートばね構造であって、前記シートヒンジ構造は、前記シートを側部に向かって開放可能に保持し、前記シートの下に設けた一つのシートフレーム部の外側に前記シートヒンジ構造を取り付ける。前記シートフレーム部の内側には電気部品を取り付ける。前記シート閉鎖時ダンパーばねと前記電気部品とを共通のカバーで覆う。
【０００９】
請求項４に記載の発明は、請求項２に記載の自動二輪車用シートばね構造であって、前記シートヒンジ構造は、前記シートを側部に向かって開放可能に保持するための前記シート側ヒンジと前記車体側ヒンジとを備え、前記シート側ヒンジは前記車体の前後方向に２つのアームを備える。前記車体側ヒンジは前記ヒンジ軸により前方壁部及び後方壁部上で前記２つのアームを支持するＵ字型支柱を備える。前記シート開放ばねは前記前方のアームの近くに配置され、前記シート閉鎖時ダンパーばねは前記後方のアームの近くに配置される。前記ばね支柱用の取り付けボルトによってＵ字型支柱の略中央部にて前記車体側ヒンジに前記ばね支柱を取り付ける。
【００１０】
請求項５に記載の発明は、請求項４に記載の自動二輪車用シートばね構造であって、前記シート側ヒンジの前記２つのアームはそれぞれ突起を有し、前記車体側ヒンジはピン部材を備え、前記ピン部材と前記各突起とは前記シートを所定の角度まで開放した際に接し、前記シート閉鎖時ダンパーばねの前記他端を前記ピン部材に引っ掛ける。
【００１１】
請求項６に記載の発明は、請求項２に記載の自動二輪車用シートばね構造であって、前記パイプフレーム部は、前記シート用の前記ヒンジ軸に同軸に設け、前記車体の前側で片持ち梁のように前記シート閉鎖時ダンパーばねを支持する。
【００１２】
請求項７に記載の発明は、請求項１に記載の自動二輪車用シートばね構造であって、前記シートは前記シートを保持するシート支持フレームを備え、前記シート支持フレームは、前記シートヒンジ構造と連結する。前記シート支持フレームの一部は外部に露出する。前記シートばね構造は、前記シートの下に開放する側部を備えたシート下の空間を有する。
【発明の効果】
【００１３】
請求項１に記載の本発明において、シート開放状態保持構造は、ヒンジ軸の軸方向において一方に設けられ、シート閉鎖時ダンパーばねは、ヒンジ軸とは別に、ヒンジ軸の軸方向の他方に設けられ、シートヒンジ構造に取り付け及び取り外し可能なばね支柱に嵌められる。このように、この構造は取り付け及び解体が容易である。更に、シート閉鎖時ダンパーばねは、シート開放ばねを備えるストッパー構造と反対側のヒンジ軸の空間に配置されるので、これらのばねの両方の配置に空間的な制限がほとんどないシートばね構造を提供可能である。更に、シート閉鎖時ダンパーばねは簡単に用いることができ、この構造を様々な種類の自動二輪車のこのような構造に一般的に適用することが容易となる。従って、このような構造は、シートの開閉に必要な動力を減らすことができ、シートの開閉速度を吸収するという商業上の利益を有する。
【００１４】
請求項２に記載の本発明において、シートヒンジ構造は、車体側ヒンジとシート側ヒンジとを備える。ばね支柱は、シート閉鎖時ダンパーばねを保持するパイプフレーム部と、車体側ヒンジに形成された切り込み上に当接可能なストッパカム部とを備える。ばね支柱は、ストッパカム部を切り込みに当接させて位置決めした状態でボルト締めされる。シート閉鎖時ダンパーばねの一端は、シート側ヒンジに設けたピンに引っ掛け、シート閉鎖時ダンパーばねの他端は、車体側ヒンジに引っ掛ける。この構造において、ばね支柱のストッパカム部を車体側ヒンジの切り込みに引っ掛けることで、回転ストッパーの機能が得られるので、シート閉鎖時ダンパーばねを簡単に正確な位置に位置決めでき、この構造を保守のために容易に組み立て及び解体可能となる。
【００１５】
請求項３に記載の本発明において、シートヒンジ構造は、シートを側部に向かって開放可能に保持するものであって、シートの下に設けた一つのシートフレーム部の外側にシートヒンジ構造を取り付ける。シートフレーム部の内側には電気部品を取り付ける。シート閉鎖時ダンパーばねと電気部品とを、共通のカバーで覆う。この構造により、外観がよくなり、必要な部品の数が減らせる。
【００１６】
請求項４に記載の本発明において、シートヒンジ構造は、シートを側部に向かって開放可能に保持するためのシート側ヒンジと車体側ヒンジとを備え、シート側ヒンジは車体の前後方向に２つのアームを備える。車体側ヒンジは、ヒンジ軸により前方壁部及び後方壁部上で２つのアームを支持するＵ字型支柱を備える。シート開放ばねは前方のアームの近くに配置され、シート閉鎖時ダンパーばねは後方のアームの近くに配置される。ばね支柱用の取り付けボルトによってＵ字型支柱の略中央部にて車体側ヒンジにばね支柱を取り付ける。この構造において、シート開放ばねとシート閉鎖時ダンパーばねとは、ボルトの締結又は取り外しの妨げとならない。
【００１７】
請求項５に記載の本発明において、シート側ヒンジの２つのアームはそれぞれ突起を有し、車体側ヒンジはピン部材を備え、ピン部材と各突起とはシートを所定の角度まで開放した際に接する。シート閉鎖時ダンパーばねの他端をピン部材に引っ掛ける。この構造において、シート閉鎖時ダンパーばねはピン部材の近くに配置しているので、シート閉鎖時ダンパーばねの他端の引っ掛ける部分は短くて済む。更に、ピン部材は、開位置でのシートのストッパーとしても、シート閉鎖時ダンパーばねの他端のフックとしても機能し、これらの用途のために特別な部材を設ける必要がない。
【００１８】
請求項６に記載の本発明において、パイプフレーム部は、シート用のヒンジ軸に同軸に設け、車体の前側で片持ち梁のようにシート閉鎖時ダンパーばねを支持する。この構成によれば、シート閉鎖時ダンパーばねを所望のように動作させることができ、シート閉鎖時ダンパーばねを簡単に嵌めたり保守のために取り外したりできる。
【００１９】
請求項７に記載の本発明において、シートはシートを保持するシート支持フレームを備え、このシート支持フレームは、シートヒンジ構造と連結する。シート支持フレームの一部は外部に露出するよう構成する。シートは、シートの下に開放する側部を備えたシート下の空間を有する自動二輪車に取り付ける。シート下の空間を有し、シート支持フレームの一部が外部に露出しているので、このような自動二輪車はネイキッド感の強い印象を持つものであって、ネイキッド感を更に高めるためにより径の大きいシート支持フレームを有してシートの重量が増加した際にも、シート閉鎖時ダンパーばねの作用によってシートを開くとシートが飛び出し、開方向にシートを動かすのに必要な力が減少する。更に、シートはシート開放ばねによって保持及び締め付けているが、このシートを閉じる際には、閉方向へのシートの速度がシート閉鎖時ダンパーばねによって吸収されるので、径の大きいシート支持フレームを有する自動二輪車のシートの開閉が容易となる。
【図面の簡単な説明】
【００２０】
【図１】本発明の一実施形態によるシートばね構造が適用された自動二輪車を示す側面図
【図２】自動二輪車用のシートばね構造を適用した、自動二輪車のシートが開いた状態を示す斜視図
【図３】自動二輪車用のシートばね構造を適用したシートであって、自動二輪車の車体側ヒンジを車体から取り外した状態を示す斜視図
【図４】自動二輪車のシートばね構造を示す分解斜視図
【図５】自動二輪車の（シートを閉じた状態での）シートばね構造と組み立てた状態での電気部品とを示す断面図
【図６】自動二輪車の（シートを閉じた状態での）シートばね構造を示す断面図と平面図
【図７】自動二輪車の（シートを開いた状態での）シートばね構造と組み立てた状態での電気部品とを示す断面図
【図８】自動二輪車の（シートを開いた状態での）シートばね構造を示す断面図と平面図
【図９】自動二輪車のシートばね構造を一方向から見た斜視図
【図１０】自動二輪車のシートばね構造を別の方向から見た斜視図
【図１１】自動二輪車のシートばね構造の車体側ヒンジを示す正面図
【発明を実施するための形態】
【００２１】
添付の図面を参照しながら、本発明の実施形態について以下に詳細に説明する。
【００２２】
一実施形態による自動二輪車用のシートばね構造は、図１に示すようなステップフロアを備えたスクータータイプの自動二輪車に適用される。シート１、シート支持フレーム１０、メータ１１、メータカバー１２、ヘッドライトカバー１３、ヘッドライト１４、左右一対のヘッドライトサイドカバー１５、左右ヘッドライトサイドカバーの左右に設けられた左右フロント方向指示器３３、およびヘッドライトガード１６が、ハンドル３２と一体となって回転し、前輪３５を支持する左右一対のフロントフォーク３９の周りに一体的に取り付けられる。フロントフォーク３９周囲の部品がフロント及びリヤカバーで覆われている一般的なスクーター構造とは違って、この自動二輪車は、カバーレス自動二輪車の印象を持つような構造となっている。この構造と以下に説明するシート下の空間とによってネイキッドスクーターの印象が得られる。
【００２３】
特に、ヘッドライト１４の下側にパイプ状のヘッドライトガード１６を側部から前方側へと配置し、更に、シート１の下の側部に、一般的なものと較べると径が大きい曲線的なパイプで形成されたシート支持フレーム１０を露出させることによって、デザイン全体が、ネイキッドスクーターのより高度に総合的な印象を与える。なお、シート側の重量は、パイプの径が大きいことにより、一般的なシートと較べると重くなっている。加えて、フロントフォーク３９の後ろの内側上部カバー１８、この内側上部カバーの左右に伸びる左右上部脚用シールド１７、内側上部カバーの下に連続するインナーカバー１９、そしてインナーカバーの前に脚用シールド２１を備えて、一般的なスクーターのように、脚部を遮蔽する機能を有するカバー構造が設けられる。ただし、フロントフォーク周辺のこれらの部品は覆われていない。
【００２４】
インナーカバーの後ろには、ステップフロア２０が設けられ、ステップフロアの下の部分は、下部カバー２２によって覆われている。下部カバーの左側にはサイドスタンド２３が設けられる。サイドスタンドの後ろの車体フレーム内において、前方のエンジンを組み込み後方の後輪３６を支持するユニット揺動機構部が鉛直方向に揺動可能なようにリアサスペンション２８によって支持される。ステップフロアとユニット揺動機構部とを含む構造は、一般的なスクーターの構造である。例えば、ユニット揺動機構部は、ユニットの下のメインスタンド２４と、揺動アームとしての役割も有し、エンジンの駆動力を変化させてその結果としての動力を後輪に伝達する、左側に設けられたベルトコンバータケース２５と、後輪の上半分を覆ってシート下の空間に泥や水が入り込まないようにするための内側リアフェンダ２６と、ベルトコンバータケースの上に設けられエンジンに接続したエアクリーナー２７とを備える。リアサスペンション２８の上でシート周辺の部分には、左右一対の後部サイドカバー２９、後部サイドカバーの後ろにテールライト３０、テールライトの下に左右後部方向指示器３４、後部座席の乗員が握れるようなリアグリップ３１、後部座席用ステップ（ｐｉｌｌｉｏｎ  ｓｔｅｐ）３８がある。
【００２５】
更に、本実施形態に係る自動二輪車は、図１及び図２に示すように、シート１の下に設けられたシート下の空間Ｓを有し、この空間は車体の側部の左右開口部Ｋを介して視認可能である。シート下の空間Ｓは、荷物を収容可能なシート１下の空間で形成されており、開口部Ｋを介して側部から視認可能であって、前方のステップフロア２０に向かって開口する。この構造によってカバーがより少ないような外観の印象（即ちネイキッド感）が得られる。本出願の出願人は、多くの場合シートの下の部品がカバーで覆われていたスクーターの印象を大きく変える、この構造を構築した。参照符号３７は、シート下の空間Ｓに収容される荷物をかけておくフックを示す。空間の前及び後ろ側の角にそれぞれ２つずつ、合計４つのフックが設けられ、ネイキッド感をもたらしながら、網等を使ってシート下の空間に荷物を安定して固定可能としている。
【００２６】
自動二輪車の車体の側部（本実施形態において走行方向の右側）に設けられ、右シート支持フレーム１０に設けたヒンジによって、シート１は保持される。シートは側部に向かって開放可能である。運転手は、閉じた状態のシートの上に座ることができる。シート１全体を側部側に揺動させ、シート下の空間Ｓを上部に開放することで、大きな荷物を収容可能となる。閉じた状態でのシート１は、左シート支持構造１０によって保持されるシートキャッチ部ｂによって車体側にロック可能である。なお、シートを閉じた状態であっても、小さい荷物等は右側、左側、及び前側の開口部を介して出し入れすることができる。
【００２７】
図３に示すように、シート支持フレーム１０は、シート１に一体形成された左右パイプフレームと、左右一対の弾性部材４２とを備える。シート１を閉じると、弾性部材４２は、車体側のフレーム又はカバー（本実施形態において第一サイドカバー４０内の接触部分４０ａ）と接触可能である。パイプフレームは、前後方向に伸びる一対のパイプ部材を備える。一対のパイプフレームは、シート１の下部と一体的に連結される。２つのフレーム部材Ｄが接触部分４０ａの内側に位置決めされる。フレーム部材Ｄは、左右一対のシートフレーム部Ｂ間を接続するクロスパイプＣから上方に延びる。このように、フレームは、接触部分４０ａ上のシートの重量を支えている。この構造によって、シートの重量は、以下の４つの箇所、即ち、左右一対の接触部分４０ａ、ヒンジ構造、およびシートキャッチ部ｂの箇所で支えられる。
【００２８】
フロア下シートカバーＫ１は、シートフレーム部ＢとクロスパイプＣとを覆う。第一サイドカバー４０は、第一サイドカバー４０の下部に続く第二サイドカバー４１と一体であり、シートフレーム部ＢとクロスパイプＣの各側面を覆う。バッテリカバーＫ２とマニュアルカバーＫ３とがフロア下シートカバーＫ１に取り付けられる。バッテリカバーＫ２は、自動二輪車に搭載する、ヒューズボックスＥを備えるバッテリと、ＥＣＵ（図５及び図７参照）等の電気部品Ｉとを覆うカバーであって、マニュアルカバーＫ３は、工具等を収容するための空間を覆うカバーである。シート１を開状態へと揺動させることによって、バッテリカバーＫ２とマニュアルカバーＫ３とが外部に露出される。本実施形態において、図５に示すように、フロア下シートカバーＫ１は、ヒューズボックスＥを備えたバッテリをその内部に収容するバッテリボックスと一体に形成される。
【００２９】
図４から図１１に示すように、本実施形態に係る自動二輪車のシートばね構造は、運転手が座れるシート１を車体に対してヒンジ軸（同軸に位置決めされた前方ヒンジ軸ｈ１と後方ヒンジ軸ｈ２）により開放可能に保持するシートヒンジ構造と、シートヒンジ構造内に備えたシート開放状態保持構造と、シートヒンジ構造内に備えたシート開方向の付勢力を加えるシート閉鎖時ダンパーばね８とを備える。シート開放状態保持構造は、シート１を開状態でシート開位置に保持可能であって、カム構造６とカム７とに付勢力を加えるシート開放ばね５を備える。シート開放状態保持構造（カム構造６、カム７、シート開放ばね５、及びカバー部ｇ）は、ヒンジ軸（前方ヒンジ軸ｈ１又は後方ヒンジ軸ｈ２）の軸方向の一方（前側）に設ける。シート閉鎖時ダンパーばね８は、ヒンジ軸とは別に、ヒンジ軸の軸方向の他方（後ろ側）に設けられ、シートヒンジ構造に取り付け及び取り外し可能なばね支柱９に嵌められる。即ち、シート１は、シートヒンジ構造の前方ヒンジ軸ｈ１と後方ヒンジ軸ｈ２との周りを、車体の右側に向かって揺動可能であり、閉状態（図５及び図６参照）又は開状態（図７及び図８参照）となる。
【００３０】
具体的には、図４に示すように、本実施形態に係るシートヒンジ構造は、シート１を側部に向かって開放可能に保持するための車体側ヒンジ２とシート側ヒンジ３とを備える。シート側ヒンジ３は、車体の前後方向に２つのアーム（前方アーム３ａと後方アーム３ｂ）を備える。シート側ヒンジ３のシート開放ばね５は、前方アーム３ａの近くに配置し、車体側ヒンジ２のシート閉鎖時ダンパーばね８は、後方アーム３ｂの近くに配置する。接触表面６ａとラッチ部６ｂとを備えるカム構造６は、シャフト部材ｈ３により前方アーム３ａに揺動可能に取り付ける。後方アーム３ｂは、内側に（前方アーム３ａに向かって）突出するラッチ部Ｐ１を備える。更に、例えば図４、図９及び図１０に示すように、シート側ヒンジ３のこれら２つのアーム（前方アーム３ａ及び後方アーム３ｂ）はそれぞれ、ヒンジ軸ｈ１とｈ２とに対して車体の外側（右側）に向かう突起ａを有する。この突起ａは、シート１を所定の角度まで開放した際に、車体側ヒンジ２に設けたピン部材２ｂ（図７、図８及び図１１参照）と接する。
【００３１】
図４及び図１１に示すように、車体側ヒンジ２は、Ｕ字型支柱４と、シート開放ばね５（シート開放状態保持構造）と、（カバー部ｇを備える）カム構造６と、カム７と、シート閉鎖時ダンパーばね８と、ばね支柱９とを備える。カム７は、Ｕ字型支柱４の前方壁部４ａと一体形成される。カム７とＵ字型支柱４の後方壁部４ｂとによって、上方に開口するＵ字型が形成される。Ｕ字型支柱４は、取り付けボルトＢ１を締結することで発生する時計回りの回転力によってストッパカム部９ｂが接触する位置に切り込み２ａを有し、これによってばね支柱のパイプフレーム部９ａの軸線がヒンジ軸（ｈ１及びｈ２）と同軸且つ平行となる。車体の前後方向に沿ってヒンジ軸（ｈ１及びｈ２）の下で壁部４ａ及び４ｂをつなぐ単一のピン部材２ｂは、ヒンジ軸（ｈ１及びｈ２）に平行となるように壁部４ａ及び４ｂに溶接される。雄ネジを備えた一対の突出ボルト部Ｐ３が、Ｕ字型支柱４の前部及び後部に形成される。これらのボルト部Ｐ３は、車体の右シートフレームの外表面に溶接して固定されたブラケットＡ内に形成した挿入孔に挿入され、ナットＮ２で締結される。このようにしてＵ字型支柱４が車体側に取り付けられる。ヒンジ軸ｈ１とｈ２とをアーム３ａと壁部３ｂとに挿入し、フランジとヒンジ軸ｈ１とｈ２の相対する端部とをリベット留めして構造を一体化するので、シート側ヒンジと車体側ヒンジの実際の構造は、Ｕ字型支柱をシート側ヒンジと一体とした後に、ブラケットＡに取り付ける。
【００３２】
シート開放ばね５は、一端５ａと他端５ｂとを有するコイルばねである。一端５ａは、カム構造６のラッチ部６ｂに掛け、他端５ｂは、Ｕ字型支柱４に設けたラッチ部Ｐ２内の孔に掛けて嵌める。カム７は、Ｕ字型支柱４の一端側（車体の前側）で壁部４ａと一体に設ける。樹脂やプラスチックで形成したカバー部ｇを、カム７の表面に取り付ける。カバー部ｇは、上方に突出するカム７のカム外形と同じ形状を有するカム表面ｇ１を有する。カム構造６の接触表面６ａは、カム７のカム表面ｇ１と接し、シート１の開閉時にカム表面上を摺動する。この構造において、シート開放ばね５は、カム表面ｇ１に対して押す方向に、接触表面６ａへの付勢力を加える。接触表面６ａがカム外形の突出した頂点を乗り越えた箇所で、シートは所定の角度開いている。シートを更に開放すると、アーム３ａ及び３ｂ上に形成した突起ａがピン部材２ｂと当接した箇所で、接触表面６ａによってシートが停止する。カム表面ｇ１は、上方に突出するカム外形を有するので、シートを閉じるには、接触表面６ａが、カム外形上の隆起部をもう一度乗り越える必要がある。従って、接触表面６ａを介してシート開放ばねの付勢力をカム外形上の傾斜に加えることによって、シートはこの位置に保持された状態を維持する。
【００３３】
シート閉鎖時ダンパーばね８は、一端８ａと他端８ｂとを有するねじりばねである。一端８ａは、シート側ヒンジ３に設けたラッチ部Ｐ１（ピン）に引っ掛け、他端は、車体側ヒンジ２に設けたピン部材２ｂに引っ掛けて嵌める。この構造において、シート閉鎖時ダンパーばね８は、開方向にシート１への付勢力を加える。シート１はこの付勢力に対抗して閉じられるので、接触表面６ａがカム外形の隆起部を乗り越えた後にシートの重量によって増加するかもしれない閉方向の揺動速度及び荷重が減少され、シートを閉じる際の衝撃を吸収可能となる。シート閉鎖時ダンパーばね８は、ばね支柱９のパイプフレーム部９ａによって保持される。
【００３４】
ばね支柱９は、シート閉鎖時ダンパーばね８を保持するパイプフレーム部９ａと、車体側ヒンジ２内に形成された切り込み２ａ上に当接可能なストッパカム部９ｂと、取り付けボルトＢ１を挿入可能な挿入孔９ｃとを備える（図４参照）。ばね支柱９は、ストッパカム部９ｂを切り込み２ａに当接させて位置決めされた状態で取り付けボルトＢ１によりボルト締めされる。即ち、シート閉鎖時ダンパーばね８のコイル部をパイプフレーム部９ａに挿入した後に、ストッパカム部９ｂをＵ字型支柱４内に形成した切り込み２ａに当接させて周縁に押し付けることで位置決めし、その後取り付けボルトＢ１を挿入孔９ｃに挿入する。このように、ばね支柱９は、ボルト締めされて取り付けられる（ストッパカム部９ｂと切り込み２ａとの間に空隙があったとしても、ボルトによって発生する締め付け力によってストッパカム部９ｂが自動的に切り込み２ａに当接する）。
【００３５】
本実施形態に係るパイプフレーム部９ａは、シート１用のヒンジ軸（前方ヒンジ軸ｈ１と後方ヒンジ軸ｈ２）に同軸に設け、車体の前側で片持ち梁（ｃａｎｔｉｌｅｖｅｒ）のようにシート閉鎖時ダンパーばね８を支持する。図１１に示すように、パイプフレーム部９ａは、シート閉鎖時ダンパーばね８の全長の約３分の２の長さを有し、後方壁部４ｂとの間隔が確保されている。この間隔の長さは、シート閉鎖時ダンパーばね８の全長の３分の１である。この構造によって、シート閉鎖時ダンパーばね８のフレーム部がない一部は、シート閉鎖時ダンパーばね８の一端８ａをピンＰ１に引っ掛けた際に変形可能であり、これによって組み立てや解体が容易となるという効果が得られる。更に、本実施形態において、ばね支柱９用の取り付けボルトＢ１によって、Ｕ字型支柱４の略中央部にて、ばね支柱９を車体側ヒンジ２に取り付ける。挿入孔９ｃには取り付けボルトＢ１を挿入するが、図４に示すように、Ｕ字型支柱４内で溶接ナットＮ１を溶接及び固定する。このように、ばね支柱９は、取り付けボルトＢ１により簡単に取り付けが可能である。
【００３６】
更に、図５に示すように、本実施形態に係るシートヒンジ構造は、シート１を側部に向かって開放可能に保持するものであって、シート１の下に設けた一つのシートフレーム部Ｂの外側にシートヒンジ構造を取り付ける。シートフレーム部Ｂの内側にはＥＣＵユニットである電気部品Ｉを取り付ける。シート閉鎖時ダンパーばね８とＥＣＵユニットＩとを、共通のカバー（本実施形態において、フロア下シートカバーＫ１）で覆う。シートの下に側部を開口させたシート下の空間を有するネイキッド型のスクーターは、この空間の後ろの収納場所（ｓｔｏｒａｇｅ）が限られているため、最も大きな面積を有するＥＣＵユニットＩの表面を自動二輪車の側部側に向け、ユニットを傾斜させて自動二輪車に取り付け、ユニットの下部がシートフレーム部Ｂの下に配置されるようにしている。この構成によって、鉛直方向の高さが抑えられ、外側カバーを小さくできる。ＥＣＵユニットＩには、バッテリとヒューズボックスＥとを配置する。本実施形態において、フロア下シートカバーは、共通のカバーとしてバッテリボックス収納場所と一体に形成される。これによって部品の数を減らせる。更に、ヒンジ部の保守の際、一つのカバーを取り外せばよいので、保守が容易となる。
【００３７】
本実施形態によれば、シート開放ばね５を備えるシート開放状態保持構造が、ヒンジ軸（前方ヒンジ軸ｈ１と後方ヒンジ軸ｈ２）の軸方向において一方に設けられ、シート閉鎖時ダンパーばね８は、ヒンジ軸とは別に、ヒンジ軸の軸方向の他方に設けられ、シートヒンジ構造に取り付け及び取り外し可能なばね支柱９に嵌められる。この構造は組み立て及び分解が容易に行える。更に、シート閉鎖時ダンパーばね８は、シート開放ばね５を備えるストッパー構造と反対側のヒンジ軸の空間に配置されるので、これらのばねの両方の配置に空間的な制限がほとんどないシートばね構造を提供可能である。更に、シート閉鎖時ダンパーばね８は簡単に用いることができ、この構造を様々な種類の自動二輪車のこのような構造に一般的に適用することが容易となる。従って、このような構造は、シートの開閉に必要な動力を減らすことができ、シート１の開閉速度を吸収するという商業上の利益を有する。
【００３８】
本実施形態に係るシートヒンジ構造は、車体側ヒンジ２とシート側ヒンジ３とを備える。ばね支柱９は、シート閉鎖時ダンパーばね８を保持するパイプフレーム部９ａと、車体側ヒンジ２内に形成された切り込み２ａ上に当接可能なストッパカム部９ｂとを備える。ばね支柱９は、ストッパカム部９ｂを切り込み２ａに当接させて位置決めした状態でボルト締めされる。シート閉鎖時ダンパーばね８の一端８ａは、シート側ヒンジ３に設けたピンに引っ掛け、シート閉鎖時ダンパーばね８の他端は、車体側ヒンジ２に引っ掛ける。この構造において、ばね支柱９のストッパカム部９ｂを車体側ヒンジ２の切り込み２ａに引っ掛けることで、回転ストッパーの機能が得られ、従って、シート閉鎖時ダンパーばねを簡単に正確な位置に位置決めでき、この構造を保守のために容易に組み立て及び解体可能となる。
【００３９】
更に、本実施形態に係るシートヒンジ構造は、シート１を側部に向かって開放可能に保持するものであって、シート１の下に設けた一つのシートフレーム部Ｂの外側にシートヒンジ構造を取り付ける。シートフレーム部Ｂの内側には電気部品Ｉを取り付ける。シート閉鎖時ダンパーばね８と電気部品Ｉとを、共通のカバー（フロア下シートカバーＫ１）で覆う。この構造により、外観がよくなり、必要な部品の数が減らせる。
【００４０】
更に、本実施形態に係るシートヒンジ構造は、シート１を側部に向かって開放可能に保持するためにシート側ヒンジ３と車体側ヒンジ２とを備え、シート側ヒンジ３は、車体の前後方向に２つのアーム（前方アーム３ａと後方アーム３ｂ）を備える。車体側ヒンジは、ヒンジ軸により前方壁部及び後方壁部上で２つのアームを支持するＵ字型支柱を備える。シート開放ばね５は、前方アーム３ａの近くに配置され、シート閉鎖時ダンパーばね８は、後方アーム３ｂの近くに配置される。ばね支柱９用の取り付けボルトＢ１によって、Ｕ字型支柱４の略中央部にて、ばね支柱９を車体側ヒンジ２に取り付ける。この構造において、シート開放ばね５とシート閉鎖時ダンパーばね８とは、ボルトの締結又は取り外しの妨げとならない。
【００４１】
特に、シート側ヒンジ３の２つのアーム（前方アーム３ａ及び後方アーム３ｂ）はそれぞれ、突起ａを有する。車体側ヒンジ２は、ピン部材２ｂを備え、このピン部材と突起ａとはシート１を所定の角度まで開放した際に接し、シート閉鎖時ダンパーばね８の他端８ｂをピン部材２ｂに引っ掛ける。この構造において、シート閉鎖時ダンパーばね８はピン部材２ｂの近くに配置しているので、シート閉鎖時ダンパーばね８の他端８ｂの引っ掛ける部分は短くて済む。更に、ピン部材２ｂは、開位置でのシート１のストッパーとしても、シート閉鎖時ダンパーばね８の他端のフックとしても機能し、これらの用途のために特別な部材を設ける必要がない。
【００４２】
更に、パイプフレーム部９ａは、シート１用のヒンジ軸（前方ヒンジ軸ｈ１と後方ヒンジ軸ｈ２）に同軸に設け、車体の前側で片持ち梁のようにシート閉鎖時ダンパーばね８を支持する。この構成によれば、シート閉鎖時ダンパーばねを所望のように動作させることができ、シート閉鎖時ダンパーばね８を簡単に嵌めたり保守のために取り外したりできる。
【００４３】
更に、シート１は、シート１を保持するシート支持フレーム１０を備え、シート支持フレーム１０は、シートヒンジ構造と連結している。シート支持フレーム１０の一部は外部に露出している。この構造は、シート１の下で開口した側部を備えるシート下の空間Ｓを有する。シート下の空間Ｓを有し、シート支持フレーム１０の一部が外部に露出しているので、このような自動二輪車はネイキッド感の強い印象を持つものであって、ネイキッド感を更に高めるためにより径の大きいシート支持フレーム１０を有してシート１の重量が増加した際にも、シート閉鎖時ダンパーばね８の作用によってシート１を開くとシートが飛び出し、開方向にシート１を動かすのに必要な力が減少する。更に、シート１はシート開放ばね５によって保持及び締め付けているが、このシートを閉じる際には、閉方向へのシートの速度がシート閉鎖時ダンパーばね８によって吸収されるので、径の大きいシート支持フレーム１０を有する自動二輪車のシート１の開閉が容易となる。
【００４４】
本実施形態について説明してきたが、本発明は上述の記載に限定されない。例えば、本発明は、シート１の下にシート下の空間Ｓを有さない自動二輪車にも適用可能であって、シート支持フレーム１０が外部に露出しておらずネイキッド感が得られない自動二輪車にも適用可能である。加えて、シート開放ばね５は、シート１を開状態のシート開放位置に保持して、カム構造６及びカム７に付勢力を加えることができれば、コイルばね以外の任意のばねであってよい。シート閉鎖時ダンパーばね８は、開方向にシートに対して付勢力を加えることができれば、ねじりばね以外の任意のばねであってよい。
【産業上の利用可能性】
【００４５】
上述のシート開放状態保持構造は、シート開放状態保持構造がヒンジ軸の軸方向において一方に設けられ、シート閉鎖時ダンパーばねがヒンジ軸とは別にヒンジ軸の軸方向の他方に設けられ、シートヒンジ構造に取り付け及び取り外し可能なばね支柱に嵌められているような自動二輪車のシートばね構造である限り、様々な外部形状又は様々な機能を備えた自動二輪車のシートばね構造に適用可能である。
【符号の説明】
【００４６】
１  シート
２  車体側ヒンジ
２ａ  切り込み
２ｂ  ピン部材
３  シート側ヒンジ
４  Ｕ字型支柱
５  シート開放ばね（シート開放状態保持構造）
６  カム構造
７  カム
８  閉鎖時ダンパーばね
９  ばね支柱
９ａ  パイプフレーム
９ｂ  ストッパカム部
１０  シート支持フレーム
ｈ１  前方ヒンジ軸
ｈ２  後方ヒンジ軸
Ｓ  シート下の空間
Ｋ  開口部
【図１】
0006405057.tif 000002
【図２】
0006405057.tif 000003
【図３】
0006405057.tif 000004
【図４】
0006405057.tif 000005
【図５】
0006405057.tif 000006
【図６】
0006405057.tif 000007
【図７】
0006405057.tif 000008
【図８】
0006405057.tif 000009
【図９】
0006405057.tif 000010
【図１０】
0006405057.tif 000011
【図１１】
0006405057.tif 000012